(57)【特許請求の範囲】
【請求項１】
キーボードを収納するキーボードケースと、
このキーボードケースの対向する両側面部からそれぞれ回転動作により外部に突出し、前記キーボードケースの他面部において横方向に並んだ状態となって、全体として一つのキーボードを構成する第１及び第２の２つのキーボード分割体と、
前記キーボードケースに対する前記第１のキーボード分割体の回転操作に連動して他の前記第２のキーボード分割体を回転動作させる連動機構とを備え、
前記キーボードケースの一側面部から前記第１のキーボード分割体を回転操作すると、前記２つのキーボード分割体を前記キーボードケースの他面部に向かう方向に付勢して前記横方向に並んだ状態に動作させる補助動作機構を備え
ることを特徴とするキーボード装置。
【請求項２】
前記連動機構は、前記２つのキーボード分割体を互いに連結するリンク機構であることを特徴とする請求項１記載のキーボード装置。
【請求項３】
前記連動機構は、前記２つのキーボード分割体の回転動作の回転中心の近傍において互いに噛み合う歯車機構であることを特徴とする請求項１記載のキーボード装置。
【請求項４】
前記キーボードケースは、携帯用電子機器の表面に装着されるハードカバーであることを特徴とする請求項１〜３の何れか記載のキーボード装置。
【請求項５】
前記キーボードケースには、前記２つのキーボード分割体の各キーに電気的に接続される第１の電気的接続部と、携帯用電子機器の電気回路に電気的に接続される第２の電気的接続部が設けられていることを特徴とする請求項１〜４の何れか記載のキーボード装置。
【請求項６】
前記キーボードケースには、外部機器を装着する外部機器装着部が設けられていることを特徴とする請求項１〜５の何れか記載のキーボード装置。
【請求項７】
機器本体を備えている電子機器であって、
前記機器本体の対向する両側面部からそれぞれ回転動作により外部に突出し、前記機器本体の他面部において横方向に並んだ状態となって、全体として一つのキーボードを構成する第１及び第２の２つのキーボード分割体と、
前記機器本体に対する前記第１のキーボード分割体の回転操作に連動して他の前記第２のキーボード分割体を回転動作させる連動機構とを備え、
前記機器本体の一側面部から前記第１のキーボード分割体を回転操作すると、前記２つのキーボード分割体を前記キーボードケースの他面部に向かう方向に付勢して前記横方向に並んだ状態に動作させる補助動作機構を備えることを特徴とする電子機器。
【発明の詳細な説明】
【０００１】
【発明の属する技術分野】
本発明は、左右分離タイプのキーボード装置と、そのような左右分離タイプのキーボードを備える電子機器に関する。
【０００２】
【従来の技術】
携帯電話、ＰＨＳ、電子手帳、ＰＤＡなどの携帯用電子機器が個人情報の管理や個人情報の管理や情報通信などの用途に使用されている。このような携帯用電子機器には液晶表示画面とキー入力部が備えられている。
また、携帯用電子機器には、持ち運んでいるときの表示画面やキー入力部の保護を目的として、携帯電話、ＰＨＳや電子手帳などのように、折り畳みタイプのものや、着脱タイプのハードカバーと組み合わせるものがある。ハードカバーの場合、携帯用電子機器を使用する際に、機器本体から取り外して適所に置いたり機器本体の裏側に装着したりする。
【０００３】
ところで、携帯用電子機器のキー入力部として、電子手帳やＰＤＡなどのように、表示画面に内蔵したタッチパネルを備え、その表示画面を専用のタッチペンで押圧して入力する方式のものがある。
最近では、携帯用電子機器とキーボードを組み合わせて使用するものもある。例えば、携帯用電子機器とは別の携帯用キーボードを用い、その携帯用キーボードをコネクタを介し携帯用電子機器に接続して、キーボードで入力する方式のものがある。また、携帯用電子機器にキーボードを内蔵しておき、そのキーボードを引き出して入力する方式のものもある。
【０００４】
しかし、携帯用キーボードを用いるものでは、電子機器と一緒に常に持ち運んでコネクタ接続しなければ使用できず、持ち運び及び使用に際しての取り扱いが面倒であった。
また、キーボードを内蔵したものでは、携帯用電子機器からキーボードを引き出して使用する際の取り扱いが面倒であったり、キー入力がし難い等の問題があった。例えば、縦長の携帯用電子機器の横幅内に収まる小さなキーボードを単に内蔵した場合、引き出したキーボードの横幅が小さいことから、キーピッチが狭くなってキー入力し難いものとなる。
【０００５】
【発明が解決しようとする課題】
本発明の課題は、持ち運び及び使用に際しての取り扱いが簡単で、使用時には横方向に大きく使えて入力し易いキーボード装置を提供することである。
また、本発明の課題は、キーボードを備える電子機器において、キーボードの持ち運び及び使用に際しての取り扱いが簡単で、使用時には機器本体に対し横方向に大きなキーボードとして使えて入力し易い電子機器を提供することである。
【０００６】
【課題を解決するための手段】
以上の課題を解決するため、請求項１記載の発明のキーボード装置１０は、例えば、図１、図３〜図１１に示すように、キーボード２１を収納するキーボードケース１１と、このキーボードケース２２の対向する両側面部からそれぞれ回転動作により外部に突出し、前記キーボードケース１１の他面部において横方向に並んだ状態となって、全体として一つのキーボード２１を構成する第１及び第２の２つのキーボード分割体２２・２３と、前記キーボードケース１１に対する前記第１のキーボード分割体２２の回転操作に連動して他の前記第２のキーボード分割体２３を回転動作させる連動機構２４とを備え、例えば、図７、図８、図１０及び図１１に示すように、前記キーボードケース１１の一側面部から前記第１のキーボード分割体２２を回転操作すると、前記２つのキーボード分割体２２・２３を前記キーボードケース１１の他面部に向かう方向に付勢して前記横方向に並んだ状態に動作させる補助動作機構３１・３２を備えることを特徴とする。
【０００７】
請求項１記載の発明によれば、回転動作する２つのキーボード分割体及びその連動機構をキーボードケースに備えているので、持ち運びが簡単である。また、第１のキーボード分割体を回転操作すると他の第２のキーボード分割体も連動して回転動作するので、通常はキーボードを収納しておき、キーボードを利用したいとき極めて簡単な操作で直ちに利用可能となる。そして、使用時には、キーボードケース両側面部からそれぞれ回転動作により２つのキーボード分割体が外部に突出してキーボードケース他面部で横方向に並んだ状態となって大きくなる。従って、２つのキーボード部分を合わせたキーボードとしてキー数やキーピッチを充分に確保し、かつキーサイズも大きくしたキーボードとして用いることができ、キー入操作が格段に容易となる。また、第１のキーボード分割体を回転操作すると、補助動作機構の付勢により２つのキーボード分割体が横方向に並んだ状態に自動的になる。
【０００８】
請求項２記載の発明は、
請求項１記載のキーボード装置であって、
例えば、図５及び図６に示すように、
前記連動機構２４は、前記２つのキーボード分割体２２・２３を互いに連結するリンク２５機構であることを特徴とする。
【０００９】
請求項３記載の発明は、
請求項１記載のキーボード装置であって、
例えば、図１３に示すように、
前記連動機構２４は、前記２つのキーボード分割体２２・２３の回転動作の回転中心の近傍において互いに噛み合う歯車２８・２９機構であることを特徴とする。
【００１６】
請求項７記載の発明の電子機器１は、例えば、図１８に示すように、機器本体の対向する両側面部からそれぞれ回転動作により外部に突出し、前記機器本体の他面部において横方向に並んだ状態となって、全体として一つのキーボード２１を構成する第１及び第２の２つのキーボード分割体２２・２３と、前記機器本体に対する前記第１のキーボード分割体２２の回転操作に連動して他の前記第２のキーボード分割体２３を回転動作させる連動機構２４とを備え、前記機器本体の一側面部から前記第１のキーボード分割体を回転操作すると、前記２つのキーボード分割体を前記キーボードケースの他面部に向かう方向に付勢して前記横方向に並んだ状態に動作させる補助動作機構を備えることを特徴とする。
【００１７】
請求項７記載の発明によれば、回転動作する２つのキーボード分割体及びその連動機構を機器本体に内蔵したので、持ち運びが簡単である。また、第１のキーボード分割体を回転操作すると他の第２のキーボード分割体も連動して回転動作するので、使用上の取り扱いも簡単である。そして、使用時には、機器本体両側面部からそれぞれ回転動作により２つのキーボード分割体が外部に突出して機器本体他面部で横方向に並んだ状態となって大きくなる。従って、２つのキーボード部分を合わせたキーボードとしてキー数やキーピッチを充分に確保し、かつキーサイズも大きくしたキーボードとして用いることができ、キー入操作が格段に容易となる。また、第１のキーボード分割体を回転操作すると、補助動作機構の付勢により２つのキーボード分割体が横方向に並んだ状態に自動的になる。
【００１８】
【発明の実施の形態】
以下、図を参照して本発明の実施の形態を詳細に説明する。
【００１９】
〔第１の実施の形態〕
図１は本発明を適用した電子機器及びキーボード装置の一使用形態を示すもので、実施形態は、図示のように、手の平に載せて使用する小型の携帯用電子機器であるＰＤＡ１とキーボード装置１０との組み合わせである。
ＰＤＡ１は、図２にも示すように、縦長の略長方形状をなす機器本体の表面（前面）に表示画面２及び操作キー３を有している。表示画面２はタッチパネルを兼ねており、そのタッチパネルに対する入力操作用のタッチペン４が機器本体の一側面に取り外し可能に嵌め込まれている。
キーボード装置１０は、図１に示したように、ＰＤＡ１に対し裏面（後面）側に装着されるキーボードケース１１と、左右で対をなす２つのキーボード分割体２２・２３により構成されるキーボード２１とからなる。２つのキーボード分割体２２・２３は、横長の略長方形状のもので、所定の配列による多数のキー２２ａ・２３ａをそれぞれ有している。
【００２０】
キーボードケース１１は、図３に示すように、２つのキーボード分割体２２・２３をそれぞれ収納するキーボード収納部１２・１３を有している。キーボード収納部１２・１３は、キーボードケース１１の略下半部を占め、側面部及び下面部に開放されている。キーボード収納部１２・１３において、キーボード分割体２２・２３が固定支軸１４でそれぞれ回転動作する。なお、２つのキーボード分割体２２・２３は、各々のキーボード収納部１２・１３への収納状態において、それぞれ側方から外隅部２２ｃ・２３ｃを指先で引き出し操作可能である。
キーボードケース１１のＰＤＡ１への装着面の上下には装着状態保持部１５・１６が備えられていて、上側の装着状態保持部１５寄りの中央に接続端子部（電気的接続部）１７が備えられている。上下の装着状態保持部１５・１６は、図４に示すように、ＰＤＡ１の機器本体の上下面の係止溝にそれぞれ係止可能な係止爪を有している。また、図４（ｂ）に示したように、キーボードケース１１をＰＤＡ１裏面（後面）側に装着した状態において、接続端子部１７はＰＤＡ１裏面（後面）に備えられた接続端子部に電気的接続状態となる。
そして、キーボードケース１１は、図４（ａ）に示したように、ＰＤＡ１の表面（前面）側にも装着可能であり、すなわち、ＰＤＡ１の表示画面２及び操作キー３を含む表面（前面）を保護するハードカバーとしても機能する。
【００２１】
次に、２つのキーボード分割体２２・２３の動作機構について説明する。
動作機構は、図５及び図６に示すように、２つのキーボード分割体２２・２３の連動機構２４である。この連動機構２４は、左右で対をなす２つのリンク２５とスライド軸２６及び連結軸２７等により構成される。
すなわち、図示のように、２つのリンク２５の一端部を共通に支持するスライド軸２６が、キーボードケース１１内の中央に設けた縦方向のガイド溝１８に移動自在に組み付けられている。２つのリンク２５は各々の他端部において、２つのキーボード分割体２２・２３に連結軸２７によりそれぞれ連結されている。
ここで、２つのキーボード分割体２２・２３の各々の固定支軸１４は、キーボードケース１１下端部の中央の左右に並んで設けられている。２つのキーボード分割体２２・２３は、各々の長辺部に沿って一体に形成した突片部２２ｂ・２３ｂの端部において固定支軸１４にそれぞれ回転自在に組み付けられている。突片部２２ｂ・２３ｂは、キーボード分割体２２・２３の長辺部の半ばまで設けられていて、固定支軸１４と反対側の端部においてリンク２５と連結軸２７で連結されている。
以上のリンク機構による連動機構２４によって、２つのキーボード分割体２２・２３は各々の固定支軸１４を中心として左右対称に同時に回転動作する。
【００２２】
さらに、連動機構２４には、図７に示したように、２つのキーボード分割体２２・２３の補助動作機構として機能する２つのねじりコイルバネ３１・３２が連結されている。すなわち、補助動作機構は大きなねじりコイルバネ３１と小さなねじりコイルバネ３２からなり、この２つのねじりコイルバネ３１・３２は、一端部が前記スライド軸２６に掛け止めされて、他端部がキーボードケース１１に設けた固定ボス３３に掛け止めされている。
以上の２つのねじりコイルバネ３１・３２によって、２つのキーボード分割体２２・２３は所定の回転角度を境にキーボードケース１１に対する収納動作方向と突出動作方向とにそれぞれ切り替わって付勢される。
実施形態では、２つのねじりコイルバネ３１・３２による補助動作機構としたが、１つのねじりコイルバネでも良く、また、ねじりコイルバネに限らず、他のバネであっても良く、さらに、同様な補助動作機能を有するものであれば何でも良い。
なお、２つのキーボード分割体２２・２３の突片部２２ｂ・２３ｂとキーボードケース１１との間は、フィルム基板（電気的接続部）１９でそれぞれ繋がれている。フィルム基板１９は、２つのキーボード分割体２２・２３の固定支軸１４を中心とする回転動作に追従して撓むものである。キーボード分割体２２・２３の各々のキー２２ａ・２３ａは、キーボード分割体２２・２３内の図略の基板、フィルム基板１９、キーボードケース１１内の図略の基板を介して、前記接続端子部１７に電気的接続状態となっている。
【００２３】
次に、キーボード装置１０の使い方を説明する。
キーボード不使用時は、図３、図５及び図７に示すように、２つのキーボード分割体２２・２３がキーボードケース１１の左右のキーボード収納部１２・１３にそれぞれ収納状態となっている。このとき、スライド軸２６は、固定ボス３３との間に掛け渡した２つのねじりコイルバネ３１・３２によって、ガイド溝１８の上端部に突き当たった状態に保持される。従って、各々のリンク２５及び連結軸２７を介して突片部２２ｂ・２３ｂが引き上げられて縦方向に沿って左右に並び、２つのキーボード分割体２２・２３は収納状態に保持されている。
このようなキーボード収納状態のキーボードケース１１を、図４（ａ）に示したように、ＰＤＡ１の表面（前面）側に装着して持ち運ぶことでハードカバーとして利用でき、すなわち、ＰＤＡ１の表示画面２及び操作キー３を含む表面（前面）を保護できる。
そして、ＰＤＡ１を使用する場合、キーボードケース１１を一旦外しておく。これにより、ＰＤＡ１の表示画面２のタッチパネルをタッチペン４で入力操作したり操作キー３の操作により所望の処理を行う。
【００２４】
キーボード使用に際しては、キーボードケース１１をＰＤＡ１の裏面（後面）側に装着する。このとき、図４（ｂ）に示したように、キーボードケース１１の接続端子部１７がＰＤＡ１裏面（後面）の接続端子部に電気的接続状態となり、従って、キーボード分割体２２・２３の各々のキー２２ａ・２３ａがＰＤＡ１内の電気回路に電気的接続状態となる。
そして、キーボードケース１１内の左右のキーボード分割体２２・２３の何れか一方を指先で引き出し操作する。例えば、右側のキーボード分割体２３を指先で引き出して回転操作すると、図８及び図９に示したように、連動機構２４により左のキーボード分割体２２も同時に回転動作して左右対称な突出状態になる。
すなわち、右側のキーボード分割体２３が固定支軸１４を中心に回転動作して突出すると、連結軸２７を介してリンク２５が引かれ、そのリンク２５を介してスライド軸２６がガイド溝１８に沿って下方へ移動する。このとき、他方のリンク２５が押し下げられるので、連結軸２７を介して左側のキーボード分割体２２も固定支軸１４を中心に回転動作して突出する。
【００２５】
図８は２つのねじりコイルバネ３１・３２がデッドポイントにある状態を示したものである。この状態以降は、２つのねじりコイルバネ３１・３２によって、スライド軸２６、リンク２５及び連結軸２７を介し左右のキーボード分割体２２・２３が自動的に突出完了状態になる。
図１０は左右のキーボード分割体２２・２３が横方向に並ぶ直前の状態を示したものである。その後、図１１に示したように、キーボードケース１１の下端部において、左右のキーボード分割体２２・２３が横方向に並んだ大きなキーボード２１の状態になる。このとき、スライド軸２６は、２つのねじりコイルバネ３１・３２によりガイド溝１８の下端部に突き当たった状態に保持され、すなわち、２つのキーボード分割体２２・２３が横方向に並んだ状態に保持されている。
その結果、例えば、図１に示したように、左手の平にキーボードケース１１ごとＰＤＡ１を持った状態で、右手の指先でキーボード２１上のキー２２ａ・２３ａを適宜に入力操作できる。その入力情報はＰＤＡ１内で所定の処理がなされてから表示画面２に表示される。
【００２６】
キーボード使用後は、左右のキーボード分割体２２・２３の何れか一方を指先でキーボードケース１１の側面へ向けて倒すように操作することで、連動機構２４により左右のキーボード分割体２２・２３が同時に回転動作してキーボードケース１１に収納状態となる。
【００２７】
以上のとおり、キーボード装置１０は、ＰＤＡ１に装着して携帯でき、また、単独でも携帯でき、特に、左右のキーボード分割体２２・２３が横方向に並んだ大きなキーボード２１の状態が得られるため、キー入力がし易く便利である。
しかも、左右のキーボード分割体２２・２３が連動して同時に突出動作したり収納動作するため、取り扱いも楽である。
なお、本実施形態においては、左右それぞれのキーボード分割体２２・２３は、それぞれの回転軸１４について回転して外部に突出したが、回転軸は共通であっても良い。また、１点に固定されていなくても、各キーボード部分が外部へ回転し突出できる構造であれば種々の他の構造を用いることができる。また、本実施形態においては、左右のキーボード分割体に一連のキーを分配して配置するようにしたが、左右別々の種類や配列のキーを配置するようにしても良い。例えば、左側のキーボード部分に５０音のめくり方式キーを配置し、右側にテンキーを配置しても良い。
【００２８】
〔電気的接続部の他の例〕
図１２はキーボードケース１１の下側の装着状態保持部１６内に接続端子部（電気的接続部）１７を設けた例を示したものである。この場合、ＰＤＡ１は下端部に接続端子部を備えるものとする。
また、キーボードケース１１の上側の装着状態保持部１５内に接続端子部（電気的接続部）１７を設けても良い。その場合、ＰＤＡ１は上端部に接続端子部を備えるものである。
その他、接続端子部（電気的接続部）１７はキーボードケース１１の何処に設けても良い。
【００２９】
〔第２の実施の形態〕
図１３は左右のキーボード分割体２２・２３の連動機構２４を歯車機構としたものである。すなわち、図１４に拡大して示したように、左右のキーボード分割体２２・２３の突片部２２ｂ・２３ｂの互いに隣り合う端部に、各々の固定支軸１４を中心として噛み合う歯車２８・２９を設けている。
従って、左右のキーボード分割体２２・２３の何れか一方を回転操作すれば、その固定支軸１４を中心として噛み合う歯車２８・２９を介して他方も同時に回転動作する。
【００３０】
〔外部機器装着部の例〕
図１５はキーボードケース１１に外部機器装着部として充電池収納部４１及びイヤホンジャック４２を設けた例を示したものである。図示例では、上左半部に充電池収納部４１を形成して、右側面にイヤホンジャック４２を配設しており、Ｂは充電池である。
図１６はキーボードケース１１に外部機器装着部としてカードスロット４３を設けた例を示したものである。図示例は、右側面に開口するカードスロット４３を形成したもので、Ｃはカードである。
図１７はキーボードケース１１に充電池収納部４１及びカードスロット４３を設けた例を示したものである。図示例は、上左半部に充電池収納部４１を形成して、右側面に開口するカードスロット４３を形成している。
【００３１】
〔キーボード内蔵電子機器の例〕
図１８は、ＰＤＡ１の下半部に前述した実施形態と同様のキーボード収納部１２・１３を形成して、固定支軸１４及びキーボード２１（キーボード分割体２２・２３）を内蔵した例を示している。なお、連動機構２４及び補助動作機構３１・３２等も設けるが、図示では省略している。
このようにＰＤＡ１にキーボード２１（キーボード分割体２２・２３）をコンパクトに内蔵することが可能となり、携帯性と使い勝手がさらに向上する。
【００３２】
なお、以上の実施の形態においては、手の平に載せて使用可能な小型電子機器としたが、本発明はこれに限定されるものではなく、より大きな他の電子機器であっても良い。
また、キーボード装置を構成するキーボードケースの形状やキーボード分割体のキー配列や形状及びその連動機構の構成等も任意であり、その他、具体的な細部構造等についても適宜に変更可能であることは勿論である。
【００３３】
【発明の効果】
請求項１記載の発明によれば、回転動作する２つのキーボード分割体及びその連動機構をキーボードケースに備えているので、持ち運びが簡単である。また、第１のキーボード分割体を回転操作すると他の第２のキーボード分割体も連動して回転動作するので、通常はキーボードを収納しておき、キーボードを利用したいとき極めて簡単な操作で直ちに利用可能となる。そして、使用時には、キーボードケース両側面部からそれぞれの固定点を回転中心とした回転動作により２つのキーボード分割体が外部に突出してキーボードケース他面部で横方向に並んだ状態となって大きくなる。従って、２つのキーボード部分を合わせたキーボードとしてキー数やキーピッチを充分に確保し、かつキーサイズも大きくしたキーボードとして用いることができ、キー入操作が格段に容易となるといった利点が得られる。また、第１のキーボード分割体を回転操作すると、補助動作機構の付勢により２つのキーボード分割体が横方向に並んだ状態に自動的になる。
【００３６】
請求項７記載の発明によれば、回転動作する２つのキーボード分割体及びその連動機構を機器本体に備えているので、持ち運びが簡単である。また、第１のキーボード分割体を回転操作すると他の第２のキーボード分割体も連動して回転動作するので、通常はキーボードを収納しておき、キーボードを利用したいとき極めて簡単な操作で直ちに利用可能となる。そして、使用時には、機器本体両側面部からそれぞれの固定点を回転中心とした回転動作により２つのキーボード分割体が外部に突出して機器本体他面部で横方向に並んだ状態となって大きくなる。従って、２つのキーボード部分を合わせたキーボードとしてキー数やキーピッチを充分に確保し、かつキーサイズも大きくしたキーボードとして用いることができ、キー入操作が格段に容易となるといった利点が得られる。また、第１のキーボード分割体を回転操作すると、補助動作機構の付勢により２つのキーボード分割体が横方向に並んだ状態に自動的になる。
【図面の簡単な説明】
【図１】本発明を適用した電子機器及びキーボード装置の一使用形態を示す概略斜視図である。
【図２】電子機器の一実施形態を示す概略正面図である。
【図３】キーボード装置の一実施形態を示す概略正面図である。
【図４】電子機器とキーボード装置を組み合わせた状態を示すもので、電子機器の表側にキーボードケースを装着した状態を示した概略側面図（ａ）、電子機器の裏側にキーボードケースを装着してキーボード突出状態とともに電気的接続部を示した破断側面図（ｂ）、同じくキーボードの回転支軸部を示した破断側面図（ｃ）である。
【図５】キーボードケース内のキーボード及び連動機構等の構成を示すもので、キーボード収納状態を示した概略正面図である。
【図６】図５の状態からキーボード突出状態を示した概略正面図である。
【図７】補助動作機構を含めた構成を示すもので、キーボード収納状態を示した概略正面図である。
【図８】図７の状態からキーボードを回転操作した状態を示した概略正面図である。
【図９】電子機器の裏側にキーボードケースを装着してキーボードを回転操作した状態を示した概略斜視図である。
【図１０】図８の状態から補助動作機構によりキーボードが横方向に並ぶ方向に付勢された動作経過状態を示した概略正面図である。
【図１１】図１０の状態からキーボードが横方向に並んだ状態を示した概略正面図である。
【図１２】電気的接続部の他の例を示すもので、電子機器の裏側にキーボードケースを装着した状態の破断側面図である。
【図１３】キーボード装置の第２実施形態を示すもので、キーボード突出状態を示した概略正面図である。
【図１４】図１３の歯車機構部の拡大図である。
【図１５】キーボード装置のキーボード突出状態を示したもので、外部機器装着部の一例を示した概略斜視図である。
【図１６】外部機器装着部の他の例を示した概略斜視図である。
【図１７】外部機器装着部のさらに他の例を示した概略斜視図である。
【図１８】キーボード内蔵の電子機器の一例を示した概略側面図である。
【符号の説明】
１  電子機器
２  表示画面
３  操作キー
４  タッチペン
１０  キーボード装置
１１  キーボードケース
１２・１３  キーボード収納部
１４  固定支軸
１５・１６  装着状態保持部
１７  電気的接続部
１８  ガイド溝
１９  電気的接続部
２１  キーボード
２２・２３  キーボード分割体
２２ａ・２３ａ  キー
２４  連動機構
２５  リンク
２６  連結軸
２７  スライド軸
２８・２９  歯車
３１・３２  補助動作機構
４１・４２・４３  外部機器装着部
【図１】
0004062916.tif 000002
【図２】
0004062916.tif 000003
【図３】
0004062916.tif 000004
【図４】
0004062916.tif 000005
【図５】
0004062916.tif 000006
【図６】
0004062916.tif 000007
【図７】
0004062916.tif 000008
【図８】
0004062916.tif 000009
【図９】
0004062916.tif 000010
【図１０】
0004062916.tif 000011
【図１１】
0004062916.tif 000012
【図１２】
0004062916.tif 000013
【図１３】
0004062916.tif 000014
【図１４】
0004062916.tif 000015
【図１５】
0004062916.tif 000016
【図１６】
0004062916.tif 000017
【図１７】
0004062916.tif 000018
【図１８】
0004062916.tif 000019